【事件の表示】
　平成　９年特許願第２９２２３９号「画像形成方法」拒絶査定不服審判事件〔平成１１年　５月１１日出願公開、特開平１１−１２５９０８〕について、次のとおり審決する。
【結　論】
　本件審判の請求は、成り立たない。
【理　由】
Ｉ．手続の経緯 ・本願発明 
　本願は、平成９年１０月２４日の出願であって、その請求項１ないし４に係る発明は、平成１４年３月５日付け、平成１６年３月２日付けおよび平成１６年６月３日付け手続補正書により補正された明細書の特許請求の範囲の請求項１ないし４に記載された事項により特定されるとおりのものと認められ、そのうち請求項１に係る発明（以下、「本願発明１」という。）は、次のとおりのものである。なお、平成１６年１０月１８日付けの手続補正は、平成１７年２月２３日付けで決定を以て却下された。
 　　　　　　　　　　　　　　　　　　　 
「【請求項１】  画像形成材料上に、物理現像核を含む微小液滴をインクジェット記録法で画像状に投射した後、この画像状に投射された物理現像核を触媒核として還元性金属を還元して還元金属画像を形成せしめることを特徴とする画像形成方法。」 
 　　　　　　　　　　　　　　　　　　　 
II．刊行物に記載された事項 　　　　　　　　　　　　　　　 
１．原査定の拒絶の理由に引用された、本願出願前に頒布された刊行物である特開平８−５２９３３号公報（以下、「刊行物１」という。）には、以下の事項が記載されている。 
（１ａ）「【請求項１】  （１）  親水性表面を有する受容材料上に液体の小滴を情報に従って投射し、かくして前記親水性表面上で、還元性銀化合物（Ａ）、前記銀化合物のための還元剤（Ｂ）、及び前記銀化合物の銀金属への還元を触媒する物理現像核（Ｃ）を作用関係にもたらす工程、及び（２）  前記工程（１）によって得られた銀像を疎水性化する工程を含むことを特徴とする平版印刷版の製造方法。」
（１ｂ）「【０００１】発明の分野
本発明は、像形成のための触媒を含有する像受容材料上にインクジェットによって平版印刷版を作るための方法に関する。」
（１ｃ）「【００１９】発明の目的及び概要
本発明の目的は、親水性平版印刷基体上に強力に接着する疎水性像を作るインクジェットによる平版印刷版の製造法を提供することにあり、この印刷基体は数万回の印刷回数に耐えるであろう。
【００２０】本発明の別の目的は、平版印刷の版の製造のための方法を提供することにあり、この方法は、親油性印刷像を作るため化学的に活性な処理液体の全面的適用を含まない。」
（１ｄ）「【００２３】「作用関係にもたらす」工程によって、小滴が像受容材料と接触したとき、成分（Ａ）、（Ｂ）及び（Ｃ）が、物理現像によって銀像を形成するよう一緒になることを意味する。この物理現像において、銀像は、物理現像核の触媒作用によって酸化−還元反応中に還元剤によって還元されるようになる溶解した銀イオンによって形成される。」
（１ｅ）「【００２４】物理現像核は、小滴を投射する前受容材料上に存在するのが好ましい、一方銀化合物（Ａ）及び還元剤（Ｂ）の少なくとも１員は前記小滴中に存在させ、残りの成分（若し存在するときには）は前記材料中に存在させる、又は両成分（Ａ）及び（Ｂ）は前記材料中に存在させ、アルカリを前記小滴中に存在させる。」
（１ｆ）「【００２５】銀像形成は、アルカリの存在下に生ぜしめるのが好ましい。更に受容材料上の銀化合物の還元は、所望により小滴の付着中及び／又は付着後像受容材料に熱を付与することによって速度を上げる。」
（１ｇ）「【００５１】物理現像核は、噴霧によりそして真空条件下の蒸着、例えばスパッタリングにより、液体キャリヤービヒクルを用いる普通の被覆法によって適用できる。
【００５２】好ましい核は、コロイド貴金属粒子、例えば銀粒子及びコロイド重金属硫化物粒子例えばコロイド硫化パラジウム、硫化ニッケル及び混合硫化銀−ニッケルである。」
（１ｈ）「【００６０】受像層中に存在する銀化合物には、例えば親水性コロイド結合剤層中の分散液（乳剤とも称される）として適用されるハロゲン化銀がある。前記ハロゲン化銀の感光度は重大ではなく、銀溶媒としてのチオサルフェートイオンによるハロゲン化銀の迅速溶解のため、銀源として微細粒子塩化銀乳剤を使用するのが好ましい。」
（１ｉ）「【００６６】インク中で又はインク受容材料中で用いられる還元剤は、ハロゲン化銀写真、特に銀錯塩拡散転写反転（ＤＴＲ）法において使用する任意の種類の現像主薬であることができる。」
（１ｊ）実施例には、ＰｄＳ現像核を含有する印刷版材料１及び２の上に、アンモニア−硝酸銀錯体溶液をインクとしたインクジェットプリンターを用いて銀金属像を形成し、この像形成した表面上に平版印刷版定着液をスプレーすることによって、親油性でかつ平版印刷インク受容性にして、印刷版１及び２を作成し、当該印刷版１及び２を、脂肪質印刷インク（通常のオフセット印刷インク）と版の像形成した面を接触状態にもたらすようにした従来の吸湿装置を設けた市販のオフセット印刷装置に装置し、オフセット印刷を行ったところ、最初のプリントから既に良好なインク受容性を生ぜしめ、非像領域でインクオフセット性を生ぜしめなかったことが記載されている（【０１２３】〜【０１３２】）。
   　　　　　　　　　　　　　　　　 
III．対比・判断 
　上記摘記事項（１ａ）〜（１ｊ）より、刊行物１には下記の発明（以下、「刊行物１発明」という。）が記載されている。 
「親水性表面を有する受容材料上に、インクジェットによる液体の小滴を情報に従って投射し、かくして前記親水性表面上で、還元性銀化合物（Ａ）、前記銀化合物のための還元剤（Ｂ）、及び前記銀化合物の銀金属への還元を触媒する物理現像核（Ｃ）を作用関係にもたらし、物理現像によって銀像を形成する工程、及び（２）  前記工程（１）によって得られた銀像を疎水性化する工程を含む平版印刷版の製造方法。」
 　　　　　　　　　　　　　　　　　 
　そこで、本願発明１と刊行物１発明とを対比する。 
　後者における「受容材料」、「液体の小滴」、「還元性銀化合物」、「銀像」は、それぞれ前者における「画像形成材料」、「微小液滴」、「還元性金属」、「還元金属画像」に相当する。 
　また、後者における「インクジェットによる小滴を情報に従って投射」することは、この投射された部分が平版印刷版の親油性印刷像となるものであるから（１ｃ、１ｊ参照）、前者における「微小液滴をインクジェット記録法で画像状に投射」することといえる。
　してみると、本願発明１と刊行物１発明とは、
「画像形成材料上に、微小液滴をインクジェット記録法で画像状に投射した後、この画像状に投射された部分において、物理現像核を触媒核として還元性金属を還元して還元金属画像を形成せしめる画像形成方法。」
である点で一致し、以下の点で相違する。 
 　　　　　　　　　　　　　　　　　 
［相違点］ 
　本願発明１が、微小液滴に物理現像核を含むと特定しているのに対して、刊行物１発明では、かかる特定をしていない点。
 　　　　　　　　　　　　　　　　　 
　そこで、相違点について検討する。 
　刊行物１には、物理現像核を微小液滴ではなく、画像形成材料に含有させる具体例しか記載されていないが、微小液滴が投射された部分のみにおいて、物理現像核、還元性金属、還元性金属のための還元剤が作用し合い、還元金属画像を形成させる点で、本願と同じであり、物理現像核を微小液滴に含ませるか、微小液滴の滴下を受ける側（画像形成材料）に含ませるかによって、上記作用が相違するとは認められない。
　また、刊行物１には、上記還元金属画像を疎水性化した疎水性像は、印刷基体上に強力に接着し、この印刷基体は数万回の印刷回数に耐える点、このような親油性印刷像を作るために、化学的に活性な処理液体の全面的適用を含まない点、オフセット印刷を行ったところ、非像領域でインクオフセット性を生ぜしめなかった点が記載されていることから（１ｃ、１ｊ参照）、刊行物１発明においても、地汚れが無く、高耐刷力の印刷版が得られるものと認められる。
　してみれば、還元金属画像を形成する部分に物理現像核を存在させるために、物理現像核を微小液滴の滴下を受ける側（画像形成材料）ではなく、微小液滴の方に含ませることは、当業者にとって格別困難ではなく、事前に予測できない格別顕著な効果が生じたとも認められない。
 　　　　　　　　　　　　　　　　　　 
　なお、請求人は請求書において、引用文献１（上記刊行物１）の発明において「写真露光」は必須の要件であるのに対して、本願発明においては「写真露光」は行わない旨主張する。
　しかし、引用文献１（上記刊行物１）には、「写真露光」を必須要件とする記載はないし、請求項１の記載では、「写真露光」を排除しているとは認められないため、上記主張は採用できない。
　　　　　　　　　　　　　
IV．むすび 
　以上のとおり、本願発明１は、刊行物１に記載された発明に基づいて当業者が容易に発明をすることができたものであるから、特許法２９条２項の規定により特許を受けることができない。 
　したがって、請求項２ないし４に係る発明についての判断を示すまでもなく、本願は、拒絶すべきものである。 
　よって、結論のとおり審決する。